(57)【特許請求の範囲】
【請求項１】
無線端末と通信する無線アクセス網を備えた移動体通信事業者（ＭＮＯ）ネットワークと、上記ＭＮＯネットワークを経由して無線端末に情報サービスを提供するアプリケーションサーバを備えた仮想移動体通信事業者（ＭＶＮＯ）ネットワークとからなるパケット通信網において、
上記ＭＮＯネットワークが、上記アクセス網とコア網とを接続するゲートウェイ装置と、モバイル制御装置と、上記無線アクセス網に接続される無線端末毎のユーザ関連情報を収集し、収集したユーザ関連情報を上記ＭＶＮＯネットワークに配信するユーザ関連情報配信制御装置とを有し、
上記ＭＶＮＯネットワークが、上記ユーザ関連情報配信制御装置から配信されたユーザ関連情報を受信するユーザ関連情報処理装置を有し、
上記ゲートウェイ装置とモバイル制御装置の少なくとも一方が、無線端末との間で実行される通信シーケンス中の所定のイベントを契機として、上記ユーザ関連情報配信制御装置に対して、上記無線端末のユーザ関連情報を含むイベント通知メッセージを送信し、
上記ユーザ関連情報配信制御装置が、上記ＭＶＮＯネットワークのユーザ関連情報処理装置と、配信すべきユーザ関連情報の種類との対応関係を示す公開情報管理テーブルを有し、該公開情報管理テーブルに従って、上記イベント通知メッセージが示す上記無線端末毎のユーザ関連情報を上記ユーザ関連情報処理装置に選択的に配信することを特徴とするパケット通信網。
【請求項２】
前記ＭＮＯネットワークが、無線端末のユーザ毎の統計情報を管理する管理サーバを含み、
前記ユーザ関連情報配信制御装置が、セッション終了を示すイベント通知メッセージの処理時に、上記管理サーバから、上記イベント通知メッセージが示すユーザ識別子と対応する統計情報を取得し、該統計情報を前記ユーザ関連情報として前記ＭＶＮＯネットワークのユーザ関連情報処理装置に選択的に配信することを特徴とする請求項１に記載のパケット通信網。
【請求項３】
前記ユーザ関連情報配信制御装置が、前記ユーザ関連情報処理装置の識別子とセッション識別子との対応関係を示すチャネル情報管理テーブルを備え、上記セッション識別子をもつ制御チャネルを介して、上記ユーザ関連情報処理装置に前記ユーザ関連情報を配信することを特徴とする請求項１または請求項２に記載のパケット通信網。
【請求項４】
無線端末と通信する無線アクセス網を備えた移動体通信事業者（ＭＮＯ）ネットワークと、上記ＭＮＯネットワークを経由して無線端末に情報サービスを提供するアプリケーションサーバを備えた仮想移動体通信事業者（ＭＶＮＯ）ネットワークとからなるパケット通信網において、
上記ＭＮＯネットワークが、上記無線アクセス網に接続される無線端末毎のユーザ関連情報を収集し、収集したユーザ関連情報を上記ＭＶＮＯネットワークに配信するユーザ関連情報配信制御装置を有し、
上記ＭＶＮＯネットワークが、上記ユーザ関連情報配信制御装置から配信されたユーザ関連情報を受信するユーザ関連情報処理装置を有し、
上記ユーザ関連情報配信制御装置が、上記ユーザ関連情報処理装置の識別子とセッション識別子との対応関係を示すチャネル情報管理テーブルを備え、上記セッション識別子をもつ制御チャネルを介して、上記ユーザ関連情報処理装置に上記ユーザ関連情報を配信することを特徴とするパケット通信網。
【請求項５】
前記ユーザ関連情報配信制御装置が、前記ＭＶＮＯネットワークのユーザ関連情報処理装置と、配信すべきユーザ関連情報の種類との対応関係を示す公開情報管理テーブルを有し、該公開情報管理テーブルに従って、前記無線端末毎のユーザ関連情報を上記ユーザ関連情報処理装置に選択的に配信することを特徴とする請求項４に記載のパケット通信網。
【請求項６】
前記アプリケーションサーバが、前記ユーザ関連情報処理装置で受信処理されたユーザ関連情報を利用して、無線端末への情報サービスを制御することを特徴とする請求項４または請求項５に記載のパケット通信網。
【請求項７】
無線端末と通信する無線アクセス網と、上記無線アクセス網をコア網に接続するためのゲートウェイ装置と、モバイル制御装置とを含む移動体通信事業者（ＭＮＯ）ネットワークに所属し、上記ＭＮＯネットワークを経由して無線端末に情報サービスを提供する複数の仮想移動体通信事業者（ＭＶＮＯ）ネットワークに対して、無線端末毎のユーザ関連情報を配信するユーザ関連情報配信制御装置であって、
上記ゲートウェイ装置とモバイル制御装置の少なくとも一方から、無線端末のユーザ関連情報を含むイベント通知メッセージを受信するための内部ネットワークインタフェースと、
上記コア網に接続するための外部ネットワークインタフェースと、
制御部と、
上記各ＭＶＮＯネットワークに所属するユーザ関連情報処理装置の識別子と、配信すべきユーザ関連情報の種類との対応関係を示す公開情報管理テーブルとを有し、
上記制御部が、上記内部ネットワークインタフェースで受信したイベント通知メッセージが示すユーザ関連情報を、上記公開情報管理テーブルに従って、上記ＭＶＮＯネットワークのユーザ関連情報処理装置に選択的に配信することを特徴とするユーザ関連情報配信制御装置。
【請求項８】
前記ユーザ関連情報処理装置の識別子とセッション識別子との対応関係を示すチャネル情報管理テーブルを備え、
前記制御部が、前記外部ネットワークインタフェースを介して前記コア網上に形成された上記セッション識別子をもつ制御チャネルを介して、前記ユーザ関連情報処理装置に前記ユーザ関連情報を配信することを特徴とする請求項７に記載のユーザ関連情報配信制御装置。
【請求項９】
前記公開情報管理テーブルが、無線端末のユーザ識別子毎に、ユーザ関連情報の配信先となるユーザ関連情報処理装置の識別子と、配信すべきユーザ関連情報の種類とを示す複数のテーブルエントリからなり、
前記内部ネットワークインタフェースが、前記ゲートウェイ装置またはモバイル制御装置から、ユーザ識別子とユーザ関連情報とを含むイベント通知メッセージを受信し、
前記制御部が、上記公開情報管理テーブルから、上記イベント通知メッセージが示すユーザ識別子と対応するテーブルエントリを検索し、該テーブルエントリに従って、上記イベント通知メッセージが示すユーザ関連情報を前記ＭＶＮＯネットワークのユーザ関連情報処理装置に選択的に配信することを特徴とする請求項７または請求項８に記載のユーザ関連情報配信制御装置。
【発明の詳細な説明】
【技術分野】
【０００１】
本発明は、パケット通信網およびユーザ関連情報配信制御装置に関し、更に詳しくは、無線アクセス網をもつ移動体通信業者ＭＮＯ（Mobile Network Operator）のネットワークと、ＭＮＯネットワークの通信リソースを利用して、無線端末に情報サービス網を提供する仮想移動体通信業者ＭＶＮＯ（Mobile Virtual Network Operator）のネットワークとからなるパケット通信網、およびＭＮＯネットワークに配置されるユーザ関連情報配信制御装置に関する。
【背景技術】
【０００２】
インターネット（ＩＰ網）には、無料で情報サービスを提供するアプリケーションサイトと、有料で情報サービスを提供するアプリケーションサイトとが存在している。無料のアプリケーションサイトは、ユーザ認証することなく、各ユーザからの要求に応答して情報サービスを提供する。一方、有料のアプリケーションサイトでは、要求元ユーザが予め会員として登録されたユーザか否かを判定し、会員として認証されたユーザに対してのみ、要求に応じた情報サービスを提供する。
【０００３】
インターネットは、加入者回線を利用する有線端末以外に、例えば、通信カードを備えたパーソナルコンピュータや、携帯電話など、無線端末によるアクセスが急増している。小型軽量で携帯可能な無線端末は、情報処理能力とデータ伝送速度が急速に向上しており、インターネットでは、無線端末ユーザを対象としたアプリケーションサービスが有望視されている。
【０００４】
このような無線端末向けのアプリケーションサービス市場を拡大するため、総務省では、例えば、２００７年のモバイルビジネス研究会報告書（非特許文献１）が示すように、仮想移動体通信事業者：ＭＶＮＯ（Mobile Virtual Network Operator）による通信サービスを推進している。ＭＶＮＯは、第１種通信事業を行う既存の移動体通信事業者：ＭＮＯ（Mobile Network Operator）が提供する通信リソースおよび通信サービスを利用することによって、自らは専用の周波数の割り当てを受けることなく、エンドユーザに情報通信サービスを提供する通信事業者を意味している。
【０００５】
ＭＶＮＯは、ＭＮＯの通信リソースの一部を借用して、エンドユーザに独自の通信サービスを提供しているため、通信リソースの運用に関して制約を受けることになる。そこで、例えば、特開２００６−３４０２６７号公報（特許文献１）では、ＭＶＮＯが、ＭＮＯの無線交換局に接続して、コールエージェントと呼ばれる呼処理機能を設置することによって、ＭＮＯによる呼処理サービスから独立した独自の呼処理サービスと接続料金設定とを可能にする無線通信サービスシステムを提案している。
【０００６】
【非特許文献１】「モバイルビジネス研究会報告書」、２００７年、総務省
【特許文献１】特開２００６−３４０２６７号公報
【発明の開示】
【発明が解決しようとする課題】
【０００７】
インターネット（ＩＰ網）に接続された各アプリケーションサイトは、ユーザニーズに合わせた情報サービスを展開するために、インターネットを利用する各ユーザに関する情報の収集と解析を必要としている。アプリケーションサイト側で利用可能なユーザ関連情報としては、例えば、各ユーザが会員登録した際に提示した個人情報、各ユーザが所有する端末に関する情報（端末情報）、ユーザ毎の統計情報などがある。ユーザの個人情報としては、例えば、各ユーザの年齢、性別、職業、その他の情報が含まれる。また、端末情報としては、各端末のネットワークアドレス、統計情報としては、各ユーザからのアクセス頻度、アクセス時間帯、アクセス内容などの情報が含まれる。
【０００８】
然るに、ＭＶＮＯは、ＭＮＯネットワークの通信リソースを借用して無線端末に情報サービスを提供しており、無線通信エリアに独自のアクセス網を所有していないため、自サイトで収集できるユーザ関連情報が、自アプリケーションサーバを実際にアクセスしたユーザのものに制限される。すなわち、ＭＮＯネットワークのアクセス網には多数のユーザ端末（無線端末）が接続されているにも係らず、ＭＶＮＯは、ＭＮＯネットワーク経由で自サイトのアプリケーションサーバをアクセスしてきたユーザ端末の送信パケットしか受信できないため、アクセス網に接続されている不特定多数のユーザ端末に関して、現在の状態を知ることができない。
【０００９】
本発明の目的は、ＭＮＯネットワークとＭＶＮＯネットワークとからなるパケット通信網において、ＭＶＮＯに有効なユーザ関連情報を収集できるネットワーク構成を提供することにある。
本発明の他の目的は、ＭＶＮＯが必要とするユーザ関連情報を収集し、配信可能なユーザ関連情報配信装置を提供することにある。
【課題を解決するための手段】
【００１０】
上記目的を達成するため、本発明は、無線端末と通信する無線アクセス網を備えた移動体通信事業者（ＭＮＯ）ネットワークと、上記ＭＮＯネットワークを経由して無線端末に情報サービスを提供するアプリケーションサーバを備えた仮想移動体通信事業者（ＭＶＮＯ）ネットワークとからなるパケット通信網において、上記ＭＮＯネットワークが、上記無線アクセス網に接続される無線端末毎のユーザ関連情報を収集し、収集したユーザ関連情報を上記ＭＶＮＯネットワークに配信するユーザ関連情報配信制御装置を有し、上記ＭＶＮＯネットワークが、上記ユーザ関連情報配信制御装置から配信されたユーザ関連情報を受信するユーザ関連情報処理装置を有することを特徴とする。
【００１１】
更に詳述すると、本発明のパケット通信網では、ＭＮＯネットワークが、上記アクセス網とコア網とを接続するゲートウェイ装置と、モバイル制御装置とを含み、上記ゲートウェイ装置とモバイル制御装置の少なくとも一方が、無線端末との間で実行される通信シーケンス中の所定のイベントを契機として、上記ユーザ関連情報配信制御装置に対して、上記無線端末のユーザ関連情報を含むイベント通知メッセージを送信し、上記ユーザ関連情報配信制御装置が、上記イベント通知メッセージが示すユーザ関連情報を上記ＭＶＮＯネットワークのユーザ関連情報処理装置に選択的に配信することを特徴とする。
【００１２】
本発明の１実施例では、上記ＭＮＯネットワークが、無線端末のユーザ毎の統計情報を管理する管理サーバを含み、上記ユーザ関連情報配信制御装置が、セッション終了を示すイベント通知メッセージの処理時に、上記管理サーバから、上記イベント通知メッセージが示すユーザ識別子と対応する統計情報を取得し、該統計情報をユーザ関連情報として上記ＭＶＮＯネットワークのユーザ関連情報処理装置に配信する。
【００１３】
本発明のユーザ関連情報配信制御装置は、無線端末と通信する無線アクセス網と、上記無線アクセス網をコア網に接続するためのゲートウェイ装置と、モバイル制御装置とを含む移動体通信事業者（ＭＮＯ）ネットワークに所属し、上記ＭＮＯネットワークを経由して無線端末に情報サービスを提供する複数の仮想移動体通信事業者（ＭＶＮＯ）ネットワークに対して、無線端末毎のユーザ関連情報を配信するためのものであって、
上記ゲートウェイ装置とモバイル制御装置の少なくとも一方から、無線端末のユーザ関連情報を含むイベント通知メッセージを受信するための内部ネットワークインタフェースと、上記コア網に接続するための外部ネットワークインタフェースと、制御部と、上記各ＭＶＮＯネットワークに所属するユーザ関連情報処理装置の識別子と、配信すべきユーザ関連情報の種類との対応関係を示す公開情報管理テーブルとを有し、
上記制御部が、上記内部ネットワークインタフェースで受信したイベント通知メッセージが示すユーザ関連情報を、上記公開情報管理テーブルに従って、上記ＭＶＮＯネットワークのユーザ関連情報処理装置に選択的に配信することを特徴とする。
【００１４】
本発明のユーザ関連情報配信制御装置は、例えば、上記ユーザ関連情報処理装置の識別子とセッション識別子との対応関係を示すチャネル情報管理テーブルを備え、上記制御部が、上記外部ネットワークインタフェースを介してコア網上に形成された上記セッション識別子をもつ制御チャネルを介して、上記ユーザ関連情報処理装置にユーザ関連情報を配信する。
【００１５】
本発明の１実施例では、上記公開情報管理テーブルが、例えば、無線端末のユーザ識別子毎に、ユーザ関連情報の配信先となるユーザ関連情報処理装置の識別子と、配信すべきユーザ関連情報の種類とを示す複数のテーブルエントリからなり、上記内部ネットワークインタフェースが、上記ゲートウェイ装置またはモバイル制御装置から、ユーザ識別子とユーザ関連情報とを含むイベント通知メッセージを受信し、上記制御部が、上記公開情報管理テーブルから、上記イベント通知メッセージが示すユーザ識別子と対応するテーブルエントリを検索し、該テーブルエントリに従って、上記イベント通知メッセージが示すユーザ関連情報をユーザ関連情報処理装置に選択的に配信する。
【発明の効果】
【００１６】
本発明によれば、各ＭＶＮＯは、ユーザ関連情報処理装置で受信処理されたユーザ関連情報を情報サービスの改善と新たな情報サービスの開発に利用できる。また、上記ユーザ関連情報を利用して、アプリケーションサーバによる無線端末への情報サービスを制御することが可能となる。
【発明を実施するための最良の形態】
【００１７】
以下、本発明の実施例について、図面を参照して説明する。
図１は、本発明を適用したネットワーク構成の１例を示す。
図１において、３０は、コアネットワークとなるＩＰ網、ＮＷ−Ａは、ＩＰ網３０に接続された第１のＭＮＯネットワーク、ＮＷ−Ｂは、ＩＰ網３０に接続された第２のＭＮＯネットワーク、ＮＷ−Ｘは、ＩＰ網３０に接続された第１のＭＶＮＯネットワーク、ＮＷ−Ｙは、ＩＰ網３０に接続された第２のＭＶＮＯネットワーク、２０Ａ（２０Ａ−１〜２０Ａ−ｎ）は、ＮＷ−Ａを介してＩＰ網３０に接続される無線端末、２０Ｂ（２０Ｂ−１〜２０Ｂ−ｍ）は、ＮＷ−Ｂを介してＩＰ網３０に接続される無線端末、４０は、ＩＰ網３０に接続されたＤＨＣＰサーバを示している。
【００１８】
第１のＭＮＯネットワークＮＷ−Ａは、無線アクセスネットワーク（ＲＡＮ）１０Ａと、上記ＲＡＮ１０ＡとＩＰ網３０とを接続するアクセスゲートウェイ（ＧＷ）４１Ａと、第１のローカルエリアネットワーク（ＬＡＮ）３１Ａを介して上記アクセスＧＷ４１Ａに接続されたモバイル制御装置（コントローラ）４２ＡおよびＡＡＡ（Authentication, Authorization and Accounting）サーバ４３Ａと、第２のＬＡＮ３２Ａを介して上記モバイルコントローラ４２ＡおよびＡＡＡサーバ４３Ａに接続された管理端末４４Ａと、上記第２のＬＡＮ３２ＡとＩＰ網３０に接続された本発明の特徴要素となるユーザ関連情報配信制御装置５０Ａとからなる。ユーザ関連情報配信制御装置５０Ａは、例えば、ネットワーク間の接続機能をもつゲートウェイ装置によって構成できる。
【００１９】
ＲＡＮ１０Ａは、アクセスＧＷ４１Ａに接続された複数の無線基地局からなり、各無線端末２０Ａは、何れかの無線基地局とアクセスＧＷ４１Ａを介して、ＩＰ網３０に接続される。
アクセスＧＷ４１Ａは、無線基地局から無線端末２０Ａの位置登録、セッションの接続要求、切断要求などの制御メッセージを受信すると、制御シーケンスに応じて、モバイルコントローラ４２ＡまたはＡＡＡサーバ４３Ａに受信メッセージを転送すると共に、無線端末２０ＡとＩＰ網との間で交信されるユーザパケットの中継動作を実行する。本発明では、後で詳述するように、無線端末２０ＡとＭＮＯネットワークＮＷ−Ａとの間の通信に所定のイベントが発生した時、アクセスＧＷ４１Ａまたはモバイルコントローラ４２Ａからユーザ関連情報配信制御装置５０Ａに、イベントに応じたユーザ関連情報を含むイベント通知メッセージが発行され、ユーザ関連情報配信制御装置５０Ａが、無線端末２０Ａのユーザ関連情報を収集できるようになっている。
【００２０】
第２のＭＮＯネットワークＮＷ−Ｂも、ネットワークＮＷ−Ａと同様、ＲＡＮ１０Ｂと、上記ＲＡＮ１０ＢとＩＰ網３０とを接続するアクセスＧＷ４１Ｂと、第１のＬＡＮ３１Ｂを介して上記アクセスＧＷ４１Ｂに接続されたモバイルコントローラ４２ＢおよびＡＡＡサーバ４３Ｂと、第２のＬＡＮ３２Ｂを介して上記モバイルコントローラ４２ＢおよびＡＡＡサーバ４３Ｂに接続された管理端末４４Ｂおよびユーザ関連情報配信制御装置５０Ｂとからなっている。
【００２１】
尚、上述した各ＭＮＯネットワークにおいて、第１のＬＡＮ３１（３１Ａ、３１Ｂ）と第２のＬＡＮ３２（３２Ａ、３２Ｂ）を１つのＬＡＮに統合し、アクセスＧＷ４１、モバイルコントローラ４２、ＡＡＡサーバ４３、管理端末４４、ユーザ関連情報配信制御装置５０を１つのＬＡＮで相互接続した網構成としてもよい。
【００２２】
一方、第１のＭＶＮＯネットワークＮＷ−Ｘは、ＩＰ網３０に接続されたＡＳ（アプリケーションサーバ）制御ノード７１Ｘと、上記ＡＳ制御ノード７１Ｘに接続されたアプリケーションサーバ（ＡＳ）７２Ｘと、ＬＡＮ３３Ｘを介して上記ＡＳ制御ノード７１Ｘとアプリケーションサーバ７２Ｘに接続された管理端末７３ＸおよびＡＡＡサーバ７４Ｘと、ＩＰ網３０、ＡＳ制御ノード７１ＸおよびＬＡＮ３３Ｘに接続された本発明の特徴要素となるユーザ関連情報処理装置６０Ｘとからなる。ユーザ関連情報処理装置６０Ｘは、例えば、ネットワーク間の接続機能をもつゲートウェイ装置によって構成できる。
【００２３】
第２のＭＶＮＯネットワークＮＷ−Ｙも、ネットワークＮＷ−Ｘと同様、ＩＰ網３０に接続されたＡＳ制御ノード７１Ｙと、上記ＡＳ制御ノード７１Ｙに接続されたアプリケーションサーバ（ＡＳ）７２Ｙと、ＬＡＮ３３Ｙを介して上記ＡＳ制御ノード７１Ｙとアプリケーションサーバ７２Ｙに接続された管理端末７３ＹおよびＡＡＡサーバ７４Ｙと、ＩＰ網３０、ＡＳ制御ノード７１ＹおよびＬＡＮ３３Ｙに接続されたユーザ関連情報処理装置６０Ｙとからなっている。
【００２４】
尚、ＡＡＡサーバ７４Ｘ、７４Ｙの機能は、ＭＶＮＯネットワークの応用形態によっては、ＭＮＯのＡＡＡサーバ４３Ａまたは４３Ｂで代行させることができる。
また、図１では、ＭＮＯネットワークとＭＶＮＯネットワークをそれぞれ２組ずつ含むネットワーク構成が例示されているが、本発明によるユーザ関連情報の配信制御は、ユーザ関連情報の送信元となるＭＮＯネットワークの個数と、ユーザ関連情報の配信先となるＭＶＮＯネットワークの個数について特に制限を与えるものではなく、１つのＭＮＯネットワークから任意個数のＭＶＮＯネットワークにユーザ関連情報を配信でき、各ＭＶＮＯネットワークが、任意個数のＭＮＯネットワークからユーザ関連情報を受信することができる。
【００２５】
図２は、ＭＮＯネットワークが備えるユーザ関連情報配信制御装置５０（図１では５０Ａ、５０Ｂ）の１実施例を示すブロック構成図である。
ユーザ関連情報配信制御装置５０は、プロセッサ５１と、第２のＬＡＮ３２に接続される内部ネットワークインタフェース５２−１と、ＩＰ網３０に接続される外部ネットワークインタフェース５２−２と、主メモリ５３と、ディスク制御部５４と、ディスク制御部５４によって制御される外部メモリ（ハードディスク）５５とからなり、要素５２〜５４は、内部バス５６によってプロセッサ５１に接続されている。
【００２６】
主メモリ５３には、本発明に関係するソフトウェアとして、主制御ルーチン５００、公開情報管理テーブル５１０、制御チャネル情報管理テーブル５２０、公開情報配信制御ルーチン５３０が用意される。これらのソフトウェアは、ユーザ関連情報配信制御装置５０の起動時に、外部メモリ５５から主メモリ５３にロードされる。
主制御ルーチン５００は、アクセスＧＷ４１またはモバイルコントローラ４２からイベント通知メッセージを受信すると、受信メッセージを主メモリ５３上に定義された通知キュー５４０に格納する。通知キュー５４０に蓄積されたイベント通知メッセージは、所定周期で起動される公開情報配信制御ルーチン５３０によって処理される。公開情報配信制御ルーチン５３０の詳細については、図１０を参照して後で詳述する。
【００２７】
図３は、公開情報管理テーブル５１０の１例を示す。
本実施例では、公開情報管理テーブル５１０は、ユーザＩＤ５１１をもつ複数のテーブルエントリＥＮ１、ＥＮ２、・・・からなる。各テーブルエントリは、ユーザＩＤ５１１と対応して、ユーザ関連情報の配布先を示す公開先ＧＷリスト５１２と、複数種類の公開フラグ５１３（５１３Ａ、５１３Ｂ、…）と、ＭＶＮＯ用ユーザＩＤ５１４とを示している。
【００２８】
公開先ＧＷリスト５１２には、ユーザＩＤ５１１で特定されるユーザ関連情報についての配信を予約したＭＶＮＯが所有するユーザ関連情報処理装置６０の識別子（ＧＷ識別子）が登録される。同一のユーザ関連情報について、複数のＭＶＮＯから配信を予約されていた場合、公開先ＧＷリスト５１２には、複数のユーザ関連情報処理装置の識別子が登録される。
【００２９】
本実施例では、公開情報管理テーブル５１０に、公開フラグ５１３として、無線端末ＩＰアドレスの公開要否を示すソースアドレス公開フラグ５１３Ａと、無線端末の位置情報の公開要否を示す位置情報公開フラグ５１３Ｂと、ユーザの統計情報の公開要否を示す統計情報公開フラグ５１３とが用意されている。公開フラグの値が「１」となっているユーザ関連情報は公開要、「０」のユーザ関連情報は公開不要を意味している。
【００３０】
ＭＶＮＯ用ユーザＩＤ５１４は、ＭＶＮＯネットワークが、ユーザＩＤ５１１とは異なる特別なＩＤ体系でユーザＩＤを管理している場合に使用される。図３では、ユーザＩＤ５１４は、識別子ＧＷａをもつユーザ関連情報処理装置が所属するＭＶＮＯネットワークで使用されるユーザＩＤを示しており、識別子ＧＷａをもつユーザ関連情報処理装置に対しては、ユーザＩＤ５１１の代わりにユーザＩＤ５１４を適用して、ユーザ関連情報が通知される。尚、同一のユーザ関連情報の配信を希望した複数のＭＶＮＯネットワークが、それぞれ固有のＩＤ体系でユーザＩＤを管理していた場合、公開情報管理テーブル５１０にＭＶＮＯ別のユーザＩＤ５１４が記憶される。
【００３１】
図４は、制御チャネル情報管理テーブル５２０の１例を示す。
制御チャネル情報管理テーブル５２０は、公開先ＧＷ識別子５２１と、ＧＷ  ＩＰアドレス５２２と、セッションＩＤ５２３との対応関係を示す複数のテーブルエントリＥＮ０１、ＥＮ０２、・・・からなる。
【００３２】
公開先ＧＷ識別子５２１としては、公開情報管理テーブル５１０に公開先ＧＷリスト５１２として登録されたＧＷ識別子が記憶されている。ユーザ関連情報配信制御装置５０は、或るユーザＩＤをもつユーザ関連情報をＭＶＮＯに配信する時、公開情報管理テーブル５１０の公開先ＧＷリスト５１２が示す公開先ＧＷ識別子を検索キーとして、制御チャネル情報管理テーブル５２０から、公開先装置のＩＰアドレス５２２とセッションＩＤ５２３を特定できる。
【００３３】
上述した公開情報管理テーブル５１０と制御チャネル情報管理テーブル５２０への新たなテーブルエントリの追加とエントリ内容の変更は、ＭＮＯのシステム管理者が、管理端末４４から行う。ＭＮＯのシステム管理者は、情報公開先となるＭＶＮＯのユーザ関連情報処理装置を示すＧＷ識別子５２１とＩＰアドレス５２２を制御チャネル情報管理テーブル５２０に登録し、ユーザ関連情報配信制御装置５０とＭＶＮＯ側のユーザ関連情報処理装置６０との間に、セッションＩＤ５２３をもつセキュアな制御チャネルを確立する。
【００３４】
制御チャネルは、トランスポートレイヤで、公知の方法によって確立できる。また、制御チャネル用の通信プロトコルは、ＭＮＯとＭＶＮＯとの間で取り決めたセキュリティの度合いに応じて決定される。例えば、ＭＶＮＯ側で、受信メッセージの改ざん有無と、メッセージの送信者および作成者の正当性を確認できるセキュリティを望む場合は、ＲＦＣ２２４６で規定されたＴＬＳ（Transport Layer Security）プロトコルを使用すればよい。
【００３５】
図５は、ＭＶＮＯネットワークに配置されるユーザ関連情報処理装置６０（図１では６０Ｘ、６０Ｙ）の１実施例を示すブロック構成図である。
ユーザ関連情報処理装置６０は、プロセッサ６１と、ＬＡＮ３３に接続される内部ネットワークインタフェース６２−１と、ＩＰ網３０に接続される外部ネットワークインタフェース６２−２と、ＡＳ制御ノード７１に接続されるネットワークインタフェース６２−３と、主メモリ６３と、ディスク制御部６４と、ディスク制御部６４によって制御される外部メモリ（ハードディスク）６５とからなり、要素６２〜６４は、内部バス６６によってプロセッサ６１に接続されている。
【００３６】
主メモリ６３には、本発明に関係するソフトウェアとして、主制御ルーチン６００、制御チャネル情報管理テーブル６２０、ユーザ関連情報処理ルーチン６３０が用意される。これらのソフトウェアは、ユーザ関連情報処理装置６０の起動時に、外部メモリ６５から主メモリ６３にロードされる。
主制御ルーチン６００は、ＭＮＯネットワークのユーザ関連情報配信制御装置５０（図１では５０Ａ、５０Ｂ）からユーザ関連情報転送メッセージを受信すると、受信メッセージを主メモリ６３上に定義された受信バッファエリアに格納し、ユーザ関連情報処理ルーチン６３０を起動する。ユーザ関連情報処理ルーチン６３０は、ＭＶＮＯネットワーク内でのユーザ関連情報の利用形態に応じて、各ユーザ関連情報転送メッセージが示すユーザ関連情報を処理する。
【００３７】
図６は、制御チャネル情報管理テーブル６２０の１例を示す。
制御チャネル情報管理テーブル６２０は、ユーザ関連情報の公開元装置を示すＩＰアドレス（公開元ＧＷ  ＩＰアドレス）６２１と、セッションＩＤ５２３との対応関係を示す複数のテーブルエントリＥＮ１０１、ＥＮ１０２、・・・からなる。制御チャネル情報管理テーブル６２０は、ユーザ関連情報処理装置６０が、例えば、ＴＬＳプロトコルを適用した制御チャネルで、ＭＮＯ側のユーザ関連情報配信制御装置５０と通信する場合に、受信メッセージに対するＡＣＫ信号を返送する際に参照される。
【００３８】
次に、図７〜図１０を参照して、ＭＮＯネットワークに配置されたユーザ関連情報配信制御装置５０の機能について説明する。
ＭＮＯネットワークＮＷ−Ａ、ＮＷ−Ｂでは、無線端末２０の位置情報は、モバイルコントローラ４２（４２Ａ、４２Ｂ）によって管理されている。本実施例では、「モバイルコントローラ」は、無線端末の位置情報を管理するエンティティの総称として使用されており、例えば、Ｗ−ＣＤＭＡ系のＨＳＤＰＡシステムにおけるＨＬＲ（Home Location Register）や、ｃｄｍａ２０００系の１ｘＥＶＤＯシステムにおけるＨＳＳ（Home Subscriber Server）に相当している。
【００３９】
本発明では、無線端末とＭＮＯネットワークとの間の通信において、ユーザ関連情報の収集／公開の契機となる特定のイベントが発生した時、アクセスＧＷ４１またはモバイルコントローラ４２が、無線端末の識別子と、イベントに応じた種類のユーザ関連情報とを含むイベント通知メッセージを生成し、ユーザ関連情報配信制御装置５０に送信する。
【００４０】
本実施例では、ＭＮＯネットワーク内で通信されるイベント通知メッセージは、例えば、無線端末へのＩＰアドレスの割当て、無線端末の位置情報の登録、無線端末のセッション切断が発生した時に生成されるものとする。
【００４１】
無線端末が使用すべきＩＰアドレスは、例えば、図７に（Ａ）で示すように、アクセスＧＷ４１がＤＨＣＰサーバ４０と交信するＤＨＣＰシーケンスにおいて割り当てられる。図７（Ａ）では、簡単化のために、ＤＨＣＰシーケンスのうち、アクセスＧＷ４１が、ＤＨＣＰサーバ４０から割当てＩＰアドレスの通知メッセージを受信し（ＳＱ０１）、これを要求元の無線端末２０に通知する（ＳＱ０２）シーケンス部分を示している。
【００４２】
本実施例では、アクセスＧＷ４１が、無線端末２０へのＩＰアドレスの通知、またはＤＨＣＰシーケンスの完了を示すＤＨＣＰ  ＡＣＫメッセージの送信を契機として、アドレス割当てイベント通知メッセージを生成し、無線端末２０のユーザＩＤとソースＩＰアドレスをユーザ関連情報配信制御装置５０に通知する（ＳＱ０３）。
【００４３】
無線端末の位置登録シーケンスは、無線端末２０のＭＮＯネットワークへの接続時、またはＲＡＮ内の無線基地局間で無線端末２０のハンドオーバーが発生した時に行われる。位置登録シーケンスでは、例えば、図７に（Ｂ）で示すように、無線端末２０が、ＲＡＮ内の何れかの無線基地局に接続（またはハンドオーバー）された時（ＳＱ１１）、無線基地局からモバイルコントローラ４２に位置登録要求メッセージが送信され（ＳＱ１２）、モバイルコントローラ４２から無線基地局に位置登録の完了通知が返送される（ＳＱ１３）。本実施例では、モバイルコントローラ４２が、無線基地局への位置登録完了通知の返送を契機として、位置登録イベント通知メッセージを生成し、無線端末２０のユーザＩＤと位置情報をユーザ関連情報配信制御装置５０に通知する（ＳＱ１４）。
【００４４】
無線端末２０が、セッションを切断すると、セッション終了シーケンスが実行される。セッション終了シーケンスでは、例えば、図７に（Ｃ）で示すように、無線端末２０からのセッション切断要求（ＳＱ２１）に応答して、ＲＡＮ内の無線基地局からアクセスＧＷ４１に、コネクションの解放要求メッセージが送信され（ＳＱ２２）、アクセスＧＷ４１から無線基地局に、セッションを終了するためのコネクション解放要求許可メセージが返送される（ＳＱ２３）。
【００４５】
本実施例では、アクセスＧＷ４１が、コネクション解放要求許可メセージの返送を契機として、セッション終了イベント通知メッセージを生成し、無線端末２０のユーザＩＤに関してセッションが終了したことをユーザ関連情報配信制御装置５０に通知する（ＳＱ２４）。
【００４６】
図８は、上述したアクセスＧＷ４１またはモバイルコントローラ４２で生成されるイベント通知メッセージのフォーマットの１例を示す。
ＭＮＯネットワーク内で通信されるイベント通知メッセージには、例えば、データのエンコード標準の１つであるＡＳＮ．１に従ったフォーマットを適用できる。本実施例では、イベント通知メッセージは、通知種別コードを含むメッセージタイプ・フィールド１０１と、メッセージ長フィールド１０２と、メッセージＩＤフィールド１０３と、ユーザＩＤフィールド１０４と、ソースＩＰアドレス（ＩＰｖ４）フィールド１０５と、位置情報フィールド１０６とからなる。
【００４７】
アドレス割当てイベント通知メッセージは、メッセージタイプ・フィールド１０１に、このメッセージがアドレス割当てイベント通知であることを示す通知種別コード、例えば、「１０１」を含み、ユーザＩＤフィールド１０４には、無線端末２０のユーザＩＤの値、ソースＩＰアドレス（ＩＰｖ４）フィールド１０５には、無線端末２０に割り当てられたＩＰアドレスの値を含む。メッセージＩＤフィールド１０３には、イベント通知メッセージの生成時にアクセスＧＷ４１が発生するシーケンス番号の値が設定される。アドレス割当てイベント通知メッセージの位置情報フィールド１０６には、有効データは含まれない。
【００４８】
位置登録イベント通知メッセージは、メッセージタイプ・フィールド１０１に、このメッセージが位置登録イベント通知であることを示す通知種別コード、例えば、「１０２」を含み、ユーザＩＤフィールド１０４に、無線端末２０のユーザＩＤの値、ソースＩＰアドレス（ＩＰｖ４）フィールド１０５に、無線端末２０に割り当てられたＩＰアドレスの値、位置情報フィールド１０６に、無線端末２０の位置情報を含む。メッセージＩＤフィールド１０３には、イベント通知メッセージの生成の都度、モバイルコントローラ４２で発生するシーケンス番号の値が設定される。
【００４９】
セッション終了イベント通知メッセージは、メッセージタイプ・フィールド１０１に、このメッセージがセッション終了イベント通知であることを示す通知種別コード、例えば、「１０３」を含み、ユーザＩＤフィールド１０４に、無線端末２０のユーザＩＤの値、ソースＩＰアドレス（ＩＰｖ４）フィールド１０５に、無線端末２０に割り当てられたＩＰアドレスの値、メッセージＩＤフィールド１０３には、イベント通知メッセージの生成の都度、アクセスＧＷ４１で発生するシーケンス番号の値が設定される。セッション終了イベント通知メッセージの位置情報フィールド１０６には、有効データは含まれない。
【００５０】
図１０は、ユーザ関連情報配信制御装置５０のプロセッサ５１が定期的に実行する公開情報配信制御ルーチン５３０のフローチャートを示す。
公開情報配信制御ルーチン５３０では、プロセッサ５１は、通知キュー５４０から、ＦＩＦＯ（First IN First Out）形式で、新たに受信したイベント通知メッセージを読み出し（ステップＳ０１）、通知キュー５４０に処理すべきメッセージがなければ（Ｓ０２）、このルーチンを終了する。通知キュー５４０から新たなイベント通知メッセージを読み出した場合、プロセッサ５１は、公開情報管理テーブル５１０から、受信メッセージのユーザＩＤフィールド１０４が示すユーザＩＤと対応するテーブルエントリＥＮｊを検索して、エントリＥＮｊの公開先ＧＷリスト５１２と公開フラグ５１３（５１３Ａ〜５１３Ｃ）を読み出す（Ｓ０３）。
【００５１】
プロセッサ５１は、公開フラグ５１３の値をチェックし（Ｓ０４）、全ての公開フラグが「０」の場合、ステップＳ０１に戻って、上述した動作を繰り返す。何れかの公開フラグが「１」となっていた場合、プロセッサ５１は、上記受信メッセージのメッセージタイプ１０１が示す通知種別コードの値を判定し（Ｓ０５）、通知種別に応じた処理を実行する。
【００５２】
通知種別コードの値が「１０１」、すなわち、受信メッセージがアドレス割当てイベント通知の場合、プロセッサ５１は、テーブルエントリＥＮｊのソースアドレス公開フラグ５１３Ａの状態をチェックし（Ｓ０６Ａ）、フラグが「０」の場合は、ステップＳ０１に戻る。フラグが「１」の場合、プロセッサ５１は、例えば、図９に示すユーザ関連情報転送メッセージ２００を生成し、公開先ＧＷリスト５１２が示す各ＧＷ（ユーザ関連情報処理装置）に、上記受信メッセージが示すソースＩＰアドレスを通知して（Ｓ０６Ｂ）、ステップＳ０１に戻る。
【００５３】
ユーザ関連情報転送メッセージ２００は、メッセージタイプ・フィールド２０１と、メッセージ長フィールド２０２と、メッセージＩＤフィールド２０３と、ユーザＩＤフィールド２０４と、ソースＩＰアドレス・フィールド２０５と、位置情報フィールド２０６と、統計項目に応じた複数の統計情報フィールド２０７（２０７−１〜０７−ｎ）からなっている。
【００５４】
ステップＳ０６Ｂで生成されるユーザ関連情報転送メッセージ２００は、メッセージタイプ・フィールド２０１に、ソースＩＰアドレス通知であることを示すコードが設定され、ユーザＩＤフィールド２０４とソースＩＰアドレス・フィールド２０５には、それぞれ上記アドレス割当てイベント通知メッセージが示すユーザＩＤとソースＩＰアドレスの値が設定される。メッセージＩＤフィールド２０３には、ユーザ関連情報転送メッセージ２００の生成の都度、プロセッサ５１が発生するシーケンス番号が設定され、位置情報フィールド２０６と統計情報フィールド２０７には、有効データは含まれない。
【００５５】
尚、ステップＳ０６Ｂにおいて、プロセッサ５１は、ユーザ関連情報転送メッセージ２００を生成すると、公開先ＧＷリスト５１２が示すＧＷ識別子に基づいて、制御チャネル情報管理テーブル５２０から、公開先ＧＷ（ユーザ関連情報処理装置）のＩＰアドレスとセッションＩＤを検索し、セッションＩＤで指定された制御チャネルで、上記公開先ＧＷ  ＩＰアドレスを宛先アドレスとして、ＭＶＮＯネットワーク側のユーザ関連情報処理装置６０にユーザ関連情報転送メッセージ２００を転送する。
【００５６】
通知種別コードの値が「１０２」、すなわち、受信メッセージが位置登録イベント通知の場合、プロセッサ５１は、テーブルエントリＥＮｊの位置情報公開フラグ５１３Ｂの状態をチェックし（Ｓ０７Ａ）、フラグが「０」の場合は、ステップＳ０１に戻る。フラグが「１」の場合は、プロセッサ５１は、ユーザ関連情報転送メッセージ２００を生成し、公開先ＧＷリスト５１２が示す各ユーザ関連情報処理装置に、上記受信メッセージが示す位置情報を通知して（Ｓ０７Ｂ）、ステップＳ０１に戻る。
【００５７】
ステップＳ０７Ｂで生成されるユーザ関連情報転送メッセージ２００は、メッセージタイプ・フィールド２０１に、位置情報通知であることを示すコードが設定され、ユーザＩＤフィールド２０４、ソースＩＰアドレス・フィールド２０５、位置情報フィールド２０６には、それぞれ上記位置登録イベント通知メッセージが示すユーザＩＤ、ソースＩＰアドレス、位置情報が設定される。メッセージＩＤフィールド２０３には、ユーザ関連情報転送メッセージ２００の生成の都度、プロセッサ５１が発生するシーケンス番号が設定され、統計情報フィールド２０７には、有効データは含まれない。
【００５８】
通知種別コードの値が「１０３」、すなわち、受信メッセージがセッション終了イベント通知の場合、プロセッサ５１は、テーブルエントリＥＮｊの統計情報公開フラグ５１３Ｃの状態をチェックし（Ｓ０８Ａ）、フラグが「０」の場合は、ステップＳ０１に戻る。フラグが「１」の場合、プロセッサ５１は、ＡＡＡサーバ４３Ａに対して、上記受信メッセージが示すユーザＩＤをもつユーザの統計情報を要求し（Ｓ０８Ｂ）、ユーザ関連情報転送メッセージ２００によって、公開先ＧＷリスト５１２が示す各ユーザ関連情報処理装置に、上記ＡＡＡサーバ４３Ａから取得した統計情報を通知して（Ｓ０９）、ステップＳ０１に戻る。
【００５９】
ステップＳ０９Ｂで生成されるユーザ関連情報転送メッセージ２００は、メッセージタイプ・フィールド２０１に、統計情報通知であることを示すコードが設定され、ユーザＩＤフィールド２０４、ソースＩＰアドレス・フィールド２０５、位置情報フィールド２０６には、それぞれ上記位置登録イベント通知メッセージが示すユーザＩＤ、ソースＩＰアドレス、位置情報が設定される。メッセージＩＤフィールド２０３には、ユーザ関連情報転送メッセージ２００の生成の都度、プロセッサ５１が発生するシーケンス番号が設定され、統計情報フィールド２０７に、上記ＡＡＡサーバ４３Ａから取得した統計情報が設定される。
【００６０】
ＭＶＮＯネットワークのユーザ関連情報処理装置６０は、ユーザ関連情報制御装置５０から受信したユーザ関連情報転送メッセージ２００をユーザ関連情報処理ルーチン６３０によって処理する。ユーザ関連情報処理ルーチン６３０の機能は、ＭＶＮＯネットワークにおけるユーザ関連情報の利用形態によって異なる。
【００６１】
ＭＶＮＯが、ＭＮＯネットワークから通知されたユーザ関連情報、例えば、統計情報を新アプリケーションの開発や、現在のアプリケーションの改良のために利用する場合、ユーザ関連情報処理ルーチン６３０は、ユーザ関連情報転送メッセージ２００から抽出した統計情報をハードディスク６５上の統計ファイルに蓄積しておき、システム管理者からの要求に応じて、統計情報を解析し、解析結果を管理端末７０の表示画面に所定の表示形式で出力する。
【００６２】
また、ＭＶＮＯからＭＮＯに、サイトの会員を示す特定ユーザＩＤについて、ＩＰアドレス通知(公開)を予約しておき、ＩＰアドレス割当てイベントが発生した時点で、ＭＮＯネットワークからＭＶＮＯネットワークにＩＰアドレスを通知した場合、ＭＶＮＯネットワーク側で上記ＩＰアドレスを優先ユーザ情報として記憶することによって、例えば、ＭＶＮＯネットワークで輻輳が発生した時、ソースＩＰアドレスが優先ユーザ情報として記憶済みのアクセス要求を優先的に処理することが可能となる。
【００６３】
アクセス要求の優先制御は、例えば、ＭＶＮＯネットワークのユーザ関連情報処理装置６０（ユーザ関連情報処理ルーチン６３０）が、ＭＮＯネットワークから通知されたユーザＩＤとＩＰアドレスとの対応関係をＡＳ制御ノード７１に通知し、ＡＳ制御ノード７１が、上記ユーザＩＤとＩＰアドレスとの対応関係を優先ユーザ情報管理テーブルに登録しておき、アクセス要求が輻輳した時、上記優先ユーザ情報管理テーブルに登録済みのソースＩＰアドレスをもつアクセス要求を優先的にアプリケーションサーバ７２に転送するようにすればよい。また、優先ユーザ情報管理テーブルをアプリケーションサーバ７２側に設けておき、アプリケーションサーバ７２が、上記優先ユーザ情報管理テーブルを参照して、アクセス要求の優先／非優先を判断して、特定ソースＩＰアドレスをもつアクセス要求を優先的に処理するようにしてもよい。
【００６４】
無線端末の位置情報は、ＭＶＮＯネットワークのアプリケーションサーバ７２から各ユーザへの地域性のあるサービス情報の配信に応用できる。例えば、アプリケーションサーバ７２が、ＲＡＮ内の特定地域における店舗の紹介情報を無線端末に配信する場合を想定する。この場合、ユーザ関連情報処理装置６０（ユーザ関連情報処理ルーチン６３０）またはＡＳ制御ノード７１が、ＭＮＯネットワークから通知された無線端末の位置情報に基づいて、所定のサービス地域に到来したユーザ（無線端末）を検知し、アプリケーションサーバ７２に、ユーザの現在位置に応じた店舗紹介情報のサービスを開始させることが可能となる。
【００６５】
ユーザの統計情報は、アプリケーションサーバ７２が、例えば、ユーザ毎の通信時間帯あるいは通信期間に応じた広告情報をサービスする場合に有効となる。この場合、ユーザ関連情報処理装置６０、またはユーザ関連情報処理装置６０から統計情報を通知されたＡＳ制御ノード７１において、ユーザ毎の通信時間のヒストグラムを作成し、アプリケーションサーバ７２に対して、ユーザに配信すべきサービス情報の判断基準となる指標情報を通知すればよい。ユーザ関連情報として公開された統計情報は、ユーザ関連情報処理装置６０から、ＡＳ制御ノード７１を介してアプリケーションサーバ７２に通知し、アプリケーションサーバ７２内で、該サーバによるサービスの種類に応じた解析を行うようにしてもよい。
【００６６】
以上の実施例では、ＭＮＯネットワークに設けられたユーザ関連情報制御装置が、公開情報管理テーブル５１０に、ＭＶＮＯから申請されたユーザＩＤと対応付けて、ＭＶＮＯネットワークのユーザ関連情報処理装置に配信すべき情報種類を示す公開フラグを記憶している。しかしながら、ＭＶＮＯが、不特定のユーザについて、例えば、ソースＩＰアドレスと位置情報の配信を希望した場合、公開情報管理テーブル５１０に、不特定ユーザＩＤを意味するデフォルト値と対応付けて、公開先ＧＷリストと公開フラグとを指定したテーブルエントリを用意しておき、ＭＶＮＯネットワークに対して、ユーザＩＤには無関係に、公開フラグに従ったユーザ関連情報が配信されるようにしてもよい。
【００６７】
公開情報管理テーブル５１０は、イベント種別または公開フラグと対応付けて、公開先ＧＷリストを示す簡単な構成にしてもよい。この場合、ユーザ関連情報配信制御装置５０は、ユーザＩＤには無関係に、受信したイベント通知メッセージの種別コードを検索キーとして、公開情報管理テーブル５１０からユーザ関連情報の配信先を特定し、ＭＶＮＯネットワークのユーザ関連情報処理装置６０に対して、ＭＶＮＯが所望した種類のユーザ関連情報を配信することが可能となる。また、ユーザ関連情報処理装置６０が、ＭＮＯネットワークから受信したユーザ関連情報をユーザＩＤテーブルに従ってフィルタリングする
ことによって、アプリケーションサーバで前述したアクセス要求の優先制御を行うことができる。
【００６８】
実施例では、ＭＮＯネットワークで、無線端末のソースＩＰアドレス、位置情報、統計情報の３種類のユーザ関連情報を収集したが、本発明では、ＭＮＯネットワークで発生するイベント通知メッセージの種類を増やすことによって、ユーザ関連情報配信制御装置５０からＭＶＮＯネットワークに、更に多種類のユーザ関連情報を配信することが可能となる。
【図面の簡単な説明】
【００６９】
【図１】本発明が適用されるネットワーク構成の１例を示す図。
【図２】図１におけるユーザ関連情報配信制御装置５０（５０Ａ、５０Ｂ）の１実施例を示すブロック構成図。
【図３】ユーザ関連情報配信制御装置５０が備える公開情報管理テーブル５１０の１実施例を示す図。
【図４】ユーザ関連情報配信制御装置５０が備える制御チャネル情報管理テーブル５２０の１実施例を示す図。
【図５】図１におけるユーザ関連情報処理装置６０（６０Ｘ、６０Ｙ）の１実施例を示すブロック構成図。
【図６】ユーザ関連情報処理装置６０が備える制御チャネル情報管理テーブル６２０の１例を示す図。
【図７】ユーザ関連情報処理装置６０に送信されるイベント通知メッセージの生成契機を説明するためのシーケンス図。
【図８】ＭＮＯ内のイベント通知メッセージのフォーマットの１例を示す図。
【図９】ユーザ関連情報配信制御装置５０からユーザ関連情報処理装置６０に送信されるユーザ関連情報転送メッセージのフォーマットの１例を示す図。
【図１０】ユーザ関連情報配信制御装置５０が実行する公開情報配信制御ルーチンの１実施例を示すフローチャート。
【符号の説明】
【００７０】
ＮＷ−Ａ、ＮＷ−Ｂ：ＭＮＯネットワーク、ＮＷ−Ｘ、ＮＷ−Ｙ：ＭＶＮＯネットワーク、１０：ＲＡＮ（Radio Access Network）、２０：無線端末、３０：コア網（ＩＰ網）、
３１、３２、３３：ＬＡＮ、４０：ＤＨＣＰサーバ、４１：アクセスＧＷ、
４２：モバイルコントローラ、４３：ＡＡＡサーバ、４４：管理端末、
５０：ユーザ関連情報配信制御装置、６０：ユーザ関連情報処理装置、
７１：ＡＳ制御ノード、７２：アプリケーションサーバ（ＡＳ）、７３：管理端末、
７４：ＡＡＡサーバ、６１０：公開情報管理テーブル、６２０：制御チャネル情報管理テーブル。
【図１】
0004920564.tif 000002
【図２】
0004920564.tif 000003
【図３】
0004920564.tif 000004
【図４】
0004920564.tif 000005
【図５】
0004920564.tif 000006
【図６】
0004920564.tif 000007
【図７】
0004920564.tif 000008
【図８】
0004920564.tif 000009
【図９】
0004920564.tif 000010
【図１０】
0004920564.tif 000011